(57)【特許請求の範囲】
【請求項１】
放送波の受信部および無線通信のインターフェースを備え、放送波から抽出したデータ放送コンテンツを再生し、当該コンテンツに登録さているリンク先へ無線通信でアクセスすることにより双方向通信を実現する無線端末の端末ユーザ誘導案内システムにおいて、
再生されたデータ放送コンテンツにWebリンクが含まれているか否かを判定する手段と、
無線通信の圏外で前記データ放送コンテンツにWebリンクが含まれていると判定されると、放送波から無線通信の基地局情報を抽出する手段と、
前記基地局情報に記述されている生存基地局の位置情報および自端末の位置情報に基づいて、端末ユーザを生存基地局の通信エリアまで誘導案内するための誘導案内情報を生成する手段と、
前記誘導案内情報を表示出力する手段とを具備したことを特徴とする無線端末の端末ユーザ誘導案内システム。
【請求項２】
前記誘導案内情報を生成する手段は、地図データ上に生存基地局の位置を重畳表示することを特徴とする請求項１に記載の無線端末の端末ユーザ誘導案内システム。
【請求項３】
少なくとも自端末の向きを検知できるジャイロセンサおよび／または磁気コンパスをさらに具備し、
前記ジャイロセンサおよび／または磁気コンパスにより検知された自端末の向きが生存基地局の方向であると、前記誘導案内情報として生存基地局のシンボルアニメーションを表示することを特徴とする請求項１に記載の無線端末の端末ユーザ誘導案内システム。
【請求項４】
デジタルカメラ機能部をさらに具備し、
前記ジャイロセンサおよび／または磁気コンパスにより検知された自端末の向きが生存基地局の方向であると、前記誘導案内情報として、生存基地局の方向を映し出す撮影画像上に当該生存基地局のシンボルアニメーションを重畳表示することを特徴とする請求項３に記載の無線端末の端末ユーザ誘導案内システム。
【請求項５】
前記基地局情報には、複数の通信方式に対応した生存基地局については、その死活状態が通信方式ごとに登録され、
前記誘導案内情報を生成する手段は、自端末が対応している通信方式での通信が可能な基地局を生存基地局と見なして誘導案内情報を生成することを特徴とする請求項１ないし４のいずれかに記載の無線端末の端末ユーザ誘導案内システム。
【発明の詳細な説明】
【技術分野】
【０００１】
本発明は、通信不能エリアに位置する端末ユーザを通信可能エリアへ誘導案内する端末ユーザ誘導案内システムに係り、特に、放送コンテンツは視聴できるが無線通信圏外の端末ユーザを、無線通信圏内まで誘導案内する無線端末の端末ユーザ誘導案内システムに関する。
【背景技術】
【０００２】
放送波としてワンセグ放送波を受信・視聴でき、かつ3G通信網などの無線通信網を利用して双方向のデータ通信を行える携帯電話やスマートフォンといった無線端末が普及している。このような無線端末を利用して、地震や水害など大規模な災害時に災害情報や安否情報を送受信する通信システムが開発されている。
【０００３】
特許文献１には、近隣の無線基地局が災害により通信不能状態に陥っている無線端末に対して、端末ユーザを生存基地局の通信エリアへ移動させるための案内情報を放送波で提供する技術が開示されている。
【０００４】
特許文献２には、抽選端末が当選確率を受信して自律的に抽選を実行する抽選システムにおいて、各抽選端末の現在位置が属する通信エリアをその位置属性とし、端末数の多い通信エリアを位置属性とする抽選端末に割り当てる当選比率を、端末数の低い通信エリアを位置属性とする抽選端末に割り当てる当選比率よりも低くすることにより、各通信エリアの端末数を均等化する技術が開示されている。
【先行技術文献】
【特許文献】
【０００５】
【特許文献１】特開２０１０−６３０７３号公報
【特許文献２】特願２００９−２３５１２０号
【発明の概要】
【発明が解決しようとする課題】
【０００６】
データ放送システムでは、通信帯域の制限やコンテンツ変更の自由度などの理由から、トップページのみをデータ放送で報知し、ユーザ端末は、当該トップページに掲載されているWebリンクに3G通信網を経由してアクセスするWeb通信により、より多くの情報、より詳細は情報、を取得することが一般的である。
【０００７】
しかしながら、図８に一例を示したように、放送波の受信エリアと無線通信の圏内とは一致しないので、放送波を受信できるエリアであっても3G通信の圏外であると、データ放送のトップページは参照できるものの、当該トップページに記載されているWebリンク先へアクセスすることができず、所望のサービスを得られないことがあった。
【０００８】
本発明の目的は、上記した従来技術の課題を解決し、無線通信の圏外で放送コンテンツを視聴している端末ユーザを無線通信の圏内へ誘導案内する無線端末の端末ユーザ誘導案内システムを提供することにある。
【課題を解決するための手段】
【０００９】
上記の目的を達成するために、本発明は、放送波の受信部および無線通信のインターフェースを備え、放送波から抽出したデータ放送コンテンツを再生し、当該コンテンツに登録されているリンク先へ無線通信でアクセスすることにより双方向通信を実現する端末ユーザ誘導案内システムにおいて、以下のような手段を講じた点に特徴がある。
【００１０】
(1)放送波から無線通信の基地局情報を抽出する手段と、無線通信の圏外であると、前記基地局情報に記述されている生存基地局の位置情報および自端末の位置情報に基づいて、端末ユーザを生存基地局の通信エリアまで誘導案内するための誘導案内情報を生成する手段と、この誘導案内情報を表示出力する手段とを設けた。
【００１１】
(2)誘導案内情報を生成する手段は、地図データ上に生存基地局の位置を重畳表示するようにした。
【００１２】
(3)少なくとも自端末の向きを検知できるジャイロセンサおよび／または磁気コンパスをさらに具備し、ジャイロセンサおよび／または磁気コンパスにより検知された自端末の向きが生存基地局の方向であると、前記誘導案内情報として生存基地局のシンボルアニメーションを表示出力するようにした。
【００１３】
(4)デジタルカメラ機能部をさらに具備し、ジャイロセンサおよび／または磁気コンパスにより検知された自端末の向きが生存基地局の方向であると、前記誘導案内情報として、生存基地局の方向を映し出す撮影画像上に当該生存基地局のシンボルアニメーションを重畳して表示出力するようにした。
【００１４】
(5)基地局情報には、複数の通信方式に対応した生存基地局については、その死活状態が通信方式ごとに登録され、誘導案内情報を生成する手段は、自端末が対応している通信方式での通信が可能な基地局を生存基地局と見なして誘導案内情報を生成するようにした。
【発明の効果】
【００１５】
本発明によれば、以下のような効果が達成される。
【００１６】
(1)無線通信の圏外で放送コンテンツを視聴している端末ユーザを無線通信の圏内へ誘導案内することで、当該端末ユーザを無線通信の圏内まで安全かつ容易に移動させることができる。したがって、データ放送による汎用的な情報の取得と、双方向通信による所望の情報へのアクセスとが可能になる。
【００１７】
(2)生存基地局の位置が地図データ上に重畳表示されるか、あるいは自端末と生存基地局との相対的な位置関係がマップ表示されるので、端末ユーザを無線通信の圏内まで安全かつ容易に移動させる地図を提供できるようになる。
【００１８】
(3)無線端末が生存基地局の方向に向けられると、生存基地局のシンボルアニメーションが表示出力されるので、地図に不慣れな端末ユーザに対しても、自身の移動方向を簡単に認識させられるようになる。
【００１９】
(4)生存基地局のシンボルアニメーションが、生存基地局の方向を映し出すデジカメ機能による撮影画像上に重畳して表示出力されるので、地図に不慣れな端末ユーザに対しても、自身の移動方向をより簡単に認識させられるようになる。
【００２０】
(5)生存基地局の死活状態が通信方式ごとに登録されるので、自端末の通信方式に対応した生存基地局を簡単に識別できるようになる。
【図面の簡単な説明】
【００２１】
【図１】本発明に係る端末ユーザ誘導案内システムの構成を示したブロック図である。
【図２】本発明の第１実施形態に係る無線端末の構成を示した機能ブロック図である。
【図３】誘導案内情報の表示例を示した図である。
【図４】本発明に係る無線端末MNの動作を示したフローチャートである。
【図５】ユーザナビゲーションの動作を示したフローチャートである。
【図６】本発明の第２実施形態に係る無線端末の構成を示した機能ブロック図である。
【図７】誘導案内情報の他の表示例を示した図である。
【図８】放送波の受信エリアと無線通信の可能エリアとの関係を示した図である。
【発明を実施するための形態】
【００２２】
以下、図面を参照して本発明の実施の形態について詳細に説明する。図１は、本発明に係る端末ユーザ誘導案内システムの構成を模式的に表現したブロック図であり、放送局１は、テレビ映像（ワンセグ）用のコンテンツとデータ通信用のコンテンツとが多重化された放送コンテンツを放送設備５から送信する。
【００２３】
無線式の携帯端末MNは、ワンセグ受信機能およびデータ通信機能を備え、放送コンテンツを受信して再生すると共に、通信事業者が管理するいずれかの無線基地局APから3G通信網３を中継して広域のIPネットワーク２に接続することで、通信事業者に固有の双方向通信サービス（電話、電子メール、インターネット接続など）を受けられる。3G通信網３には、各基地局APが正常に動作しているか否かを監視する基地局監視装置４および管理サーバ６が設けられている。
【００２４】
図２は、前記無線端末MNの構成を示した機能ブロック図であり、ここでは、本発明の説明に不要な構成は図示が省略されている。
【００２５】
放送コンテンツ受信部１０１は、ワンセグ用のコンテンツとデータ放送用のコンテンツとが多重化された放送コンテンツ、および3G通信網３の各無線基地局APの死活状態およびその位置情報が登録された基地局情報を受信する。ワンセグ用のコンテンツはワンセグ抽出部１０２により抽出され、データ放送用のコンテンツはデータ放送抽出部１０３により抽出され、基地局情報はデータ放送抽出部１０３の基地局情報抽出部１０３ａにより抽出される。符号化／復号部１０５は、3Gインターフェース１１１で受信された3G通信の符号化データを復号すると共に、3Gインターフェース１１１から3G通信網３へ送信するデータを符号化する。
【００２６】
ワンセグ視聴制御部１０４は、ワンセグ用のコンテンツを復号して端末ディスプレイ１０７に表示出力する。データ放送視聴制御部１１２は、データ放送用のコンテンツを復号して端末ディスプレイ１０７に表示出力し、さらに双方向通信用のWebアクセス制御部１１２ａを含む。Webアクセス制御部１１２ａは3G通信制御部１１２ｂを含み、3G通信網経由でのWebアクセスを制御する。
【００２７】
誘導案内情報生成部１０６は、前記基地局情報抽出部１０３ａにより抽出された基地局情報（誘導案内情報を生成するスクリプトを含む）に基づいて、端末ユーザを生存基地局の通信エリア内まで誘導するための誘導案内情報を生成する。
【００２８】
入力操作部１０８は各種のキースイッチを備え、端末ユーザの入力操作を受け付ける。測位部１０９は、無線端末MNの現在位置を測位する。基地局情報記憶部１１０は、前記受信された基地局情報が一時記憶される。
【００２９】
このような構成において、地震等の災害が発生して無線基地局APの一部が破損等の理由で機能不全となると、基地局監視装置４は、無線基地局APごとに死活状態を判定し、生存基地局の住所、緯度および経度といった位置情報を、誘導案内情報を生成するスクリプトと共に基地局情報としてIPネットワーク経由で放送局１へ通知する。放送局１は、前記通知された基地局情報をワンセグ放送やデジタルラジオ放送の放送波に多重化して放送する。
【００３０】
一方、無線端末MNでは、端末ユーザがデータ放送によるデータ通信の利用中に、3G通信網経由でのWebアクセスが不能に陥ると、前記データ放送抽出部１０３およびその基地局情報抽出部１０３ａにより、前記基地局情報（誘導案内情報を生成するスクリプトを含む）が抽出されて基地局情報記憶部１１０に一時記憶される。
【００３１】
誘導案内情報生成部１０６は、この基地局情報と自端末の位置情報とに基づいて、生存基地局の方位、現在位置からの距離などを誘導案内情報として生成し、これを端末ディスプレイ１０７に表示出力する。
【００３２】
図３は、前記誘導案内情報の表示例を示した図であり、無線端末MNから移動可能な範囲内に生存基地局が見つかると、端末ディスプレイ１０７には、同図(a)に示したように、端末ユーザの現在位置を示すマーカ１１、生存基地局の位置を示すマーカ１２、方位１３および単位距離１４が表示される。端末ユーザは、端末ディスプレイ１０７に表示される誘導案内を参照することで生存基地局の通信エリア内まで簡単に移動することができ、当該位置で3G通信網経由の通信サービスを受けられるようになる。
【００３３】
なお、無線端末MNが自端末の現在位置および生存基地局の位置を包含する地図データを保持または取得できるならば、同図(b)に一例を示したように、無線端末MNの現在位置および生存基地局の位置を地図テンプレートに重畳することで、地図形式の誘導案内情報を生成しても良い。
【００３４】
次いで、フローチャートを参照して本発明の一実施形態の動作を詳細に説明する。図４は、前記無線端末MNの動作を示したフローチャートであり、ステップＳ１において、データ放送の受信アプリケーションが起動されると、ステップＳ２では、ワンセグ放送の受信が開始され、この放送波に多重化されているデータ放送コンテンツがデータ放送抽出部１０３により抽出される。ステップＳ３では、抽出されたデータ放送コンテンツがデータ放送視聴制御部１１２により復号され、端末ディスプレイ１０７にデータ放送のトップページが表示される。ステップＳ４では、当該トップページにWebリンクが含まれているか否かが判定される。
【００３５】
Webリンクが含まれていればステップＳ５へ進み、自端末が3G通信の圏内であるか否かが判定される。ここで、自然災害の影響等で近隣の無線基地局APが使用不能状態に陥るなどして3G通信の圏外と判定されるとステップＳ６へ進み、端末ユーザを3G通信圏内へ誘導案内するユーザナビゲーションが実施される。
【００３６】
図５は、前記ステップＳ６で実行されるユーザナビゲーションの動作を示したフローチャートであり、ステップＳ２１では、ユーザナビゲーションを開始する旨のメッセージが端末ディスプレイ１０７に表示される。ステップＳ２２では、前記基地局情報抽出部１０３ａによりデータ放送波から基地局情報が抽出されて基地局情報記憶部１１０へ一時記憶される。この基地局情報には、ワンセグ受信エリア内に設置されている無線基地局APのうち、生存状態にある基地局の位置情報（住所、緯度および経度）および前記誘導案内情報を生成するためのスクリプトが含まれる。
【００３７】
ステップＳ２３では、無線端末MNに実装されている測位部１０９により現在位置が測位される。ステップＳ２４では、現在位置から最近傍の生存基地局または現在位置から移動可能な範囲内で収容端末数の少ない生存基地局が１ないし複数探索されて誘導案内先に決定される。
【００３８】
ステップＳ２５では、前記誘導案内情報生成部１０６において、前記決定された誘導案内先の生存基地局および自端末MNの現在位置に基づいて、端末ユーザを前記生存基地局の通信可能エリア内まで誘導案内するための情報が作成され、ステップＳ２６において、端末ディスプレイ１０７に表示される。
【００３９】
ステップＳ２７では、3G通信の圏内に到達したか否かが判定される。依然として3G通信の圏外であればステップＳ２３へ戻り、上記の各処理が繰り返される。その後、ステップＳ２７において、3G通信の圏内に到達したと判定されるとステップＳ２８へ進み、Webリンクへのアクセスが可能になった旨のメッセージが端末ディスプレイ１０７に表示される。
【００４０】
図４のフローチャートへ戻り、ステップＳ７では、3Gインターフェース１１１により3G通信網３との接続が確立される。ステップＳ８では、無線端末MNの移動経路や３G通信の受信状況に関するログ情報が、3G通信網経由で管理サーバ６へ送信される。ステップＳ９では、前記Webアクセス制御部１１２ａおよびその3G通信制御部１１２ｂにより、ユーザ操作に応答して所定のWebサイトとの間に通信セッションが確立されて所定のWebサービスが提供される。
【００４１】
本実施形態によれば、無線通信の圏外でデータ放送を視聴している端末ユーザを無線通信の圏内へ誘導案内することで、当該端末ユーザを無線通信の圏内まで安全かつ容易に移動させることができる。
【００４２】
なお、上記の実施形態では、基地局情報として各無線基地局の死活状態や生存基地局の位置情報が登録され、地図状の誘導案内情報が二次元表示されるものとして説明したが、本発明はこれのみに限定されるものではなく、基地局情報として生存基地局の位置情報と共にAR（拡張現実）アプリケーション用のメタ情報（エアタグ）を登録しておいても良い。このようにすれば、誘導案内情報として、無線端末MNの端末ディスプレイ１０７に生存基地局の位置を仮想的に表示できるようになる。
【００４３】
図６は、本発明の第２実施形態に係るARに対応した無線端末MNの構成を示した機能ブロック図であり、ここでは、本発明の説明に不要な構成は図示が省略されている。本実施形態では、無線端末MNがジャイロセンサ１１３（および／または磁気コンパス）を備え、前記基地局情報抽出部１０３ａは、生存基地局の位置情報と共にそのAR用のメタ情報を抽出する。
【００４４】
このような構成において、前記基地局監視装置４は、各無線基地局APの死活状態を監視し、生存基地局APの位置情報およびメタ情報を基地局情報としてIPネットワーク経由で放送局１へ通知する。放送局１は、前記メタ情報を含む基地局情報を放送波に重畳して放送する。
【００４５】
無線端末MNでは、前記基地局情報抽出部１０３ａが、基地局情報として各無線基地局APの死活状態、位置情報およびメタ情報を取得し、前記基地局情報記憶部１１０へ一時記憶する。前記誘導案内生成部１０６は、前記と同様に、自端末MNの現在位置と生存基地局の位置情報とに基づいて、端末ユーザを誘導案内する少なくとも一つの生存基地局APを決定する。
【００４６】
ここで、前記ユーザナビゲーションが起動されると、前記決定された生存基地局APの位置情報およびメタ情報が前記基地局情報記憶部１１０から読み出される。そして、無線端末MNが前記生存基地局の方向に向けられ、これがジャイロセンサ１１３により検知されると、端末ディスプレイ１０７に前記生存基地局のシンボルが表示される。
【００４７】
図７は、本実施形態における誘導案内情報の表示例を示した図であり、ジャイロセンサ１１３により検知された自端末の向きが生存基地局の方向であると、前記端末ディスプレイ１０７には、当該方向に生存基地局APが存在していることを示すシンボルアニメーション５が、当該生存基地局APの通信圏内までの距離情報６と共に表示されている。
【００４８】
本実施形態によれば、端末ユーザに誘導案内情報を仮想空間上で提供できるので、地図に不慣れな端末ユーザに、自身の移動方向をより簡単に認識させられるようになる。
【００４９】
さらに、無線端末MNがデジタルカメラ機能を備えているのであれば、前記ジャイロセンサにより検知された自端末の向きが生存基地局の方向であると、生存基地局の方向を映し出す撮影画像上に当該生存基地局のシンボルアニメーションが重畳して表示出力されるようにしても良い。
【００５０】
なお、無線基地局APが複数の通信方式（CDMA2000 1X MC，CDMA2000 1X EV- DO Rev.0、CDMA2000 1x EV-DO Rev.Aなど）に対応し、通信方式の異なる複数種の無線端末MNが存在する環境下では、基地局情報として各無線基地局APの死活状態を通信方式ごとに登録することが望ましい。このようにすれば、各無線端末MNでは、自端末の通信方式に対応した生存基地局までの誘導案内情報を取得できるようになる。
【符号の説明】
【００５１】
１０１…放送コンテンツ受信部，１０２…ワンセグ抽出部，１０３…データ放送抽出部，１０３ａ…基地局情報抽出部，１０４…ワンセグ視聴制御部，１０５…符号化／復号部，１０６…誘導案内情報生成部，１０７…端末ディスプレイ，１０８…入力操作部，１０９…測位部，１１０…基地局情報記憶部，１１１…3Gインターフェース，１１２…データ放送視聴制御部，１１２ａ…Webアクセス制御部，１１２ｂ…3G通信制御部，１１３…ジャイロセンサ
【図１】
0005564006.tif 000002
【図２】
0005564006.tif 000003
【図３】
0005564006.tif 000004
【図４】
0005564006.tif 000005
【図５】
0005564006.tif 000006
【図６】
0005564006.tif 000007
【図７】
0005564006.tif 000008
【図８】
0005564006.tif 000009